(57)【要約】【課題】ネットなどのメッシュシートの破れ個所を繕うためのメッシュシートの接着方法であって、メッシュシート自体をなんら傷めることなく補修することができ、しかも、その補修個所が凝固することなく、他の部分と変わらぬ柔軟性を保持できる。【解決手段】破れ個所１Ａのあるメッシュシート１を受部材３上に載置し、その破れ個所１Ａ上に、補修用のメッシュシート４を重ね合せ、それらの重ね合せ部分に、ストリッパブルコーティング５を塗布し、そのストリッパブルコーティング５の乾燥後に、メッシュシート１を受部材３から剥離する。【選択図】        図４
2004346451.tif 000002
【特許請求の範囲】
【請求項１】
メッシュシート（１）の破れ個所（１Ａ）を繕うための、メッシュシートの接着方法であって、
破れ個所（１Ａ）のあるメッシュシート（１）を、受部材（３）の平滑な表面上に載置し、次いで、そのメッシュシート（１）の破れ個所（１Ａ）上に、補修用メッシュシート片（４）を重ね合せ、メッシュシート（１）と、補修用メッシュシート片（４）との重ね合せ部分に、ストリッパブルコーティング（５）を塗布して該ストリッパブルコーティング（５）を、前記重ね合せ部分のメッシュ空間に充填させ、ストリッパブルコーティング（５）の乾燥後、メッシュシート（１）を受部材（３）から剥離することを特徴とする、メッシュシートの接着方法。
【請求項２】
メッシュシート（１０１，１０２；２０１，２０３；３０１）の接着面同志を重ね合せ、そのメッシュシート（１０１，１０２；２０１，２０３；３０１）の重ね合わせ部分を、受部材（３）の平滑な表面上に載置し、次いで、そのメッシュシート（１０１，１０２；２０１，２０３；３０１）の重ね合せ部分に、ストリッパブルコーティング（５）を塗布して、該ストリッパブルコーティング（５）を、前記重ね合せ部分のメッシュ空間に充填させ、ストリッパブルコーティング（５）の乾燥後、メッシュシート（１０１，１０２；２０１，２０３；３０１）を受部材（３）から剥離することを特徴とする、メッシュシートの接着方法。
【発明の詳細な説明】
【０００１】
【発明の属する技術分野】
本発明は、建築物の養生用のネットなどのメッシュシートの接着方法に関する。
【０００２】
【従来の技術】
従来、ビニルプラスチックゾル、エチルセルロース、合成ゴム系ラテックスなどのストリッパブルコーティング（可塑性塗料）は、既に知られている（たとえば、非特許文献１参照）。
【０００３】
【非特許文献】
図書  「プラスチック大辞典」株式会社工業調査会発行
【０００４】
【発明が解決しようとする課題】
そして、前記ストリッパブルコーティングは、通常は、工場などで生産した完成品を、その輸送および貯蔵中の摩耗や腐食から保護するために、その完成品に一次的に塗布する塗料であって、必要なときに完成品を傷付けることなく剥ぎ取ることができるものであり、完成品の材質、形状などにより、浸漬、吹付、ロール塗布などにより完成品の表面に塗布されるものである。
【０００５】
ところで、本発明は、前記ストリッパブルコーティングが、
▲１▼これを塗布した物体の表面に形成される微細な空隙部まで進入、充填されること、
▲２▼ストリッパブルコーティングは、物体になんらの損傷も与えないこと、
▲３▼ストリッパブルコーティングは、乾燥しても凝固しないこと、
▲４▼ガラス板、金属板などの平滑な面からの剥離がきわめて容易であること、
の特性をもつことに着目して、ネット、金網などのメッシュシートの破れ個所の補修および該メッシュシートの接着に利用できるようにした、新規なメッシュシートの接着方法を提供することを目的とする。
【０００６】
【課題を解決するための手段】
上記目的を達成するために、請求項１に係る本発明は、メッシュシートの破れ個所を繕うための、メッシュシートの接着方法であって、
破れ個所のあるメッシュシートを、受部材の平滑な表面上に載置し、次いで、そのメッシュシートの破れ個所上に、補修用メッシュシート片を重ね合せ、メッシュシートと、補修用メッシュシート片との重ね合せ部分に、ストリッパブルコーティングを塗布して、該ストリッパブルコーティングを、前記重ね合せ部分のメッシュ空間に充填させ、ストリッパブルコーティングの乾燥後、メッシュシートを受部材から剥離することを特徴とする。
【０００７】
かかる特徴によれば、メッシュシートの破れ個所を、該メッシュシート自体を何ら傷めることなく補修することができ、しかも、ストリッパブルコーティングが乾燥してもこれが凝固することがないことからその補修部分が硬くなることなく、他の部分と変わらぬ柔軟性を保持することができる。
【０００８】
また、上記目的を達成するために、請求項２に係る本発明は、メッシュシートの接着面同志を重ね合せ、そのメッシュシートの重ね合わせ部分を、受部材の平滑な表面上に載置し、次いで、そのメッシュシートの重ね合せ部分に、ストリッパブルコーティングを塗布して、該ストリッパブルコーティングを、前記重ね合せ部分のメッシュ空間に充填させ、ストリッパブルコーティングの乾燥後、メッシュシートを受部材から剥離することを特徴としている。
【０００９】
かかる特徴によれば、メッシュシートの接着個所を、該メッシュシート自体を何ら傷めることなく接着することができ、しかも、ストリッパブルコーティングが乾燥してもこれが凝固することがないことからその接着部分が硬くなることなく、他の部分と変わらぬ柔軟性を保持することができる。
【００１０】
【発明の実施の形態】
以下、本発明の実施の形態を、添付図面に示す本発明の実施例に基づいて説明する。
【００１１】
図１〜図４は本発明の第１実施例を示すもので、図１は、メッシュシートを、本発明接着方法により補修した状態を示す図、図２は、メッシュシートの補修途中の状態を示す斜視図、図３は、図１の３−３線に沿う拡大断面図、図４は、メッシュシートの補修工程を示す断面図である。
【００１２】
図２に示すように、たとえば、網戸のフレームＦに張られるネットなどのメッシュシート１の破れ個所１Ａを繕うべく、ガラス板、金属板、合成樹脂板、合成樹脂シート、たとえばビニールシートなどの表面の平滑な受部材３、補修用のメッシュシート片４およびストリッパブルコーティングとしてのビニルプラスチゾル５を蓄圧貯蔵した携帯用のボンベ６を用意する。
【００１３】
図４（ａ）に示すように、受部材３の平滑な表面上に、破れ個所１Ａのあるメッシュシート１を重ねて載置する。
【００１４】
次に、図４（ｂ）に示すように、メッシュシート１の破れ個所１Ａ上に補修用メッシュシート片４を重ね合わせる。この場合、補修用メッシュシート片４は、メッシュシート１と同色のものを用意する。
【００１５】
次に、前記ボンベ６のノズル７を、破れ個所１Ａと、補修用メッシュシート片４の重ね合せ部分に向けてボンベ６の押釦８を押圧すれば、図４（ｃ）に示すように、ボンベ６の弁が開弁して蓄圧状態のビニルプラスチゾル５は、ノズル７より霧状となって噴出して、メッシュシート１の破れ箇所１Ａと補修用メッシュシート片４との重ね合せ部分に吹き付けられ、そこに塗布される。この塗布状態では、ビニルプラスチゾル５は、メッシュシート１および補修用メッシュシートのメッシュ空間に侵入、充填される。
【００１６】
その後、しばらくしてビニルプラスチゾル５が乾燥すれば、メッシュシート１を受部材３から剥離する。このとき、受部材３は、その表面、すなわちメッシュシート１との合せ面が平滑であるので、その剥離作業がきわめて用意であり、また、その剥離作業によりメッシュシート１を傷めることがない。
【００１７】
以上の工程により、ビニルプラスチゾル５がメッシュシート１と補修用メッシュシート片４との重ね合せ部分のメッシュ空間に隙間なく埋設されてそこにストリッパブルコーティング５の塗膜を作り、これがアンカー作用をなしてメッシュシート１の破れ個所１Ａに補修用メッシュシート４を重ね合わせて接着することができ、メッシュシート１の破れ個所１Ａを補修することができる。
【００１８】
しかして、ストリッパブルコーティングとしてのビニルプラスチゾル５は、乾燥しても凝固（従来のボンドなど接着剤は乾燥すると凝固する）することがないので、補修個所は、他の部分と比べて硬くなることがなく、変わらぬ柔軟性を保つことができる。そして、補修用メッシュシート１は、乾燥したビニルプラスチゾル５のアンカー効果で妄りに剥がれることがなく、特に、この横方向の引張力に対して強い。
【００１９】
なお、ビニルプラスチゾル５の塗布手段としては、吹付けの外、刷毛塗り、コテ押え、浸漬など従来公知の方法が採用される。
【００２０】
次に図５を参照して本発明の第２実施例について説明する。
【００２１】
この第２実施例は、同じメッシュの２枚のメッシュシート１０１，１０２の接続端縁１０１Ｅ，１０２Ｅ同志を、本発明にかかる接着方法により接着した場合であり、図５は、２枚のメッシュシートを接着した状態の斜視図であり、前記第１実施例と同じ要素には、同じ符号が付される。
【００２２】
２枚のメッシュシート１０１，１０２の接続端縁１０１Ｅ，１０２Ｅ同志を帯状に相互に重ね合せ、その重ね合せ部の全域にわたり、前記第１実施例と同じ方法により、ストリッパブルコーティングとしてのビニルプラスチゾル５を塗布する。これにより、そのビニルプラスチゾル５が、前記重ね合せ部のメッシュ空間に進入、充填され、該ビニルプラスチゾル５のアンカー効果により、２枚のメッシュシート１０１，１０２の接続端縁同志１０１Ｅ，１０２Ｅを接着することができる。
【００２３】
そして、この第２実施例の場合も、乾燥したビニルプラスチゾル５によるアンカー効果により、両メッシュシート１０１，１０２を接着することができ、その接着部は、特にメッシュシート１０１，１０２にかかる横方向の引張力に対して強く、しかも、その接着部は、メッシュシート本来の柔軟性が何ら損なわれることがない。
【００２４】
次に、図６を参照して本発明の第３実施例について説明する。
【００２５】
この第３実施例は、メッシュの異なる、２枚のメッシュシート２０１，２０２の接続端縁２０１Ｅ，２０２Ｅ同志を、本発明にかかる接着方法により接着した場合であり、図６は、異なるメッシュの、２枚のメッシュシートを接着した状態の斜視図であり、前記第１実施例と同じ要素には、同じ符号が付される。
【００２６】
メッシュの異なるシート２枚のメッシュシート２０１，２０２の接続端縁２０１Ｅ，２０２Ｅ同志を帯状に相互に重ね合せ、その重ね合せ部の全域にわたり、前記第１実施例と同じ方法により、ストリッパブルコーティングとしてのビニルプラスチゾル５を塗布する。これにより、そのビニルプラスチゾル５が、前記重ね合せ部のメッシュ空間に進入、充填され、該ビニルプラスチゾル５のアンカー効果により、２枚のメッシュシート２０１，２０２の接続端縁２０１Ｅ，２０２Ｅを接着することができる。
【００２７】
そして、この第３実施例の場合も、乾燥したビニルプラスチゾル５によるアンカー効果により、従来接着のしにくかった、メッシュの異なる２枚のメッシュシート２０１，２０２の接続端縁２０２Ｅ，２０２Ｅを接着することができ、その接着部は、特にメッシュシート２０１，２０２にかかる横方向の引張力に対して強く、しかも、その接着部は、メッシュシート２０１，２０２本来の柔軟性が何ら損なわれることがない。
【００２８】
次に、図７を参照して本発明の第４実施例について説明する。
【００２９】
この第４実施例は、１枚のメッシュシート３０１の耳部分を折り返して縁取り（トリミング）したときに、該縁取部３０３の自由端縁３０３Ｅを、そのメッシュシート３０１に本発明方法により接着して、その「ほつれ」を防止するようにしたものであり、図７は、メッシュシートの縁取部の自由端縁をメッシュシートに接着した状態の斜視図であり、前記第１実施例と同じ要素には、同じ符号が付される。
【００３０】
１枚のメッシュシート３０１の耳部分を折り返してループ状の縁取り部３０３を形成し、この縁取り部３０３は、その長手方向に沿い２条の縫着３０４がなされている。縁取り部３０３の自由端縁３０３Ｅをメッシュシート３０１の面に重ね合せ、その重ね合せ部に前記第１実施例と同じ方法により、ストリッパブルコーティングとしてのビニルプラスチゾル５を塗布する。これにより、そのビニルプラスチゾル５が、前記重ね合せ部のメッシュ空間に進入、充填され、該ビニルプラスチゾル５のアンカー効果により、メッシュシート３０１の自由端縁３０３Ｅをメッシュシート３０１の面に接着することができ、該メッシュシート３０１の自由端縁の「ほつれ」を防止することができる。
【００３１】
そして、この第４実施例の場合も、乾燥したビニルプラスチゾル５によるアンカー効果により、メッシュシート３０１の縁取り部３０３の自由端縁３０３Ｅをメッシュシート３０１の面に接着することができ、その縁取り部３０３は、メッシュシート３０１本来の柔軟性が何ら損なわれることがない。
【００３２】
なお、前記第１ないし第４実施例において、ストリッパブルコーティングの塗布を繰り返すことにより、ストリッパブルコーティング膜を厚くすることができ、その接着を一層強力なものとすることができる。
【００３３】
以上、本発明の一実施例について説明したが、本発明はその実施例に限定されることなく、本発明の範囲内で種々の実施例が可能である。
【００３４】
たとえば、本発明接着方法は、金網などの金属製、編物、織物などの布製、ビニール網などの合成樹脂製、その他の材質のメッシュシートに適用可能である。
【００３５】
【発明の効果】
以上のように、請求項１に係る本発明によれば、メッシュシートの破れ個所を、該メッシュシート自体を何ら傷めることなく補修することができ、しかも、ストリッパブルコーティングが乾燥してもこれが凝固することがないことからその補修部分が硬くなることなく、他の部分と変わらぬ柔軟性を保持することができる。
【００３６】
また、請求項２に係る本発明によれば、メッシュシートの接着個所を、該メッシュシート自体を何ら傷めることなく接着することができ、しかも、ストリッパブルコーティングが乾燥してもこれが凝固することがないことからその接着部分が硬くなることなく、他の部分と変わらぬ柔軟性を保持することができる。
【図面の簡単な説明】
【図１】メッシュシートを、本発明接着方法により補修した状態を示す図（第１実施例）
【図２】メッシュシートの補修途中の状態を示す斜視図（第１実施例）
【図３】図１の３−３線に沿う拡大断面図（第１実施例）
【図４】メッシュシートの補修工程を示す断面図（第１実施例）
【図５】２枚のメッシュシートを接着した状態の斜視図（第２実施例）
【図６】異なるメッシュの２枚のメッシュシートを接着した状態の斜視図（第３実施例
【図７】メッシュシートの縁取部の自由端縁をメッシュシートに接着した状態の斜視図（第４実施例）
【符号の説明】
１          メッシュシート
１Ａ        破れ個所
３          受部材
４          補修用メッシュシート片
５          ストリッパブルコーティング（ビニルプラスチゾル）
１０１      メッシュシート
１０２      メッシュシート
２０１      メッシュシート
２０２      メッシュシート
３０１      メッシュシート
【図１】
2004346451.tif 000003
【図２】
2004346451.tif 000004
【図３】
2004346451.tif 000005
【図４】
2004346451.tif 000006
【図５】
2004346451.tif 000007
【図６】
2004346451.tif 000008
【図７】
2004346451.tif 000009